(57)【要約】【課題】アクセスポイントとして動作する映像表示端末が構築している無線ネットワークに映像送信端末と他の映像表示端末とが参加している場合に、ネットワークの切断を発生させずに、映像送信端末からの映像送信時のスループットの低下を低減する。【解決手段】制御部１３は、自端末が、無線ネットワークを構築するアクセスポイントとして動作しているときに、操作部１２が映像表示指示を受け付けた場合、無線通信部１０に、自端末が構築している無線ネットワークに参加している映像送信端末へ映像送信要求を無線送信させ、映像送信要求に応答して映像送信端末から無線送信されて無線通信部１０によって無線受信された自端末宛の映像を表示部１１に表示させ、かつ、無線通信部１０に、自端末が構築している無線ネットワークに参加している他の映像表示端末へ自端末宛の映像を無線送信させる。【選択図】図１
2015095814.tif 000002
【特許請求の範囲】
【請求項１】
他の端末と無線通信を行う無線通信インタフェースと、
映像を表示する表示インタフェースと、
ユーザの操作を受け付ける操作インタフェースと、
自端末が、無線ネットワークを構築するアクセスポイントとして動作しているときに、前記操作インタフェースが映像表示指示を受け付けた場合、前記無線通信インタフェースに、自端末が構築している無線ネットワークに参加している映像送信端末へ映像送信要求を無線送信させ、前記映像送信要求に応答して前記映像送信端末から無線送信されて前記無線通信インタフェースによって無線受信された自端末宛の映像を前記表示インタフェースに表示させ、かつ、前記無線通信インタフェースに、自端末が構築している前記無線ネットワークに参加している他の映像表示端末へ前記自端末宛の映像を無線送信させる制御部と、
を有する映像表示端末。
【請求項２】
前記無線通信インタフェースが、前記映像送信端末から、前記自端末宛の映像と一緒に、前記自端末宛の映像の送信先を示す送信先情報を無線受信した場合、前記制御部は、前記無線通信インタフェースに、前記送信先情報が示す映像表示端末へ、前記自端末宛の映像を無線送信させる請求項１に記載の映像表示端末。
【請求項３】
前記無線通信インタフェースが、自端末が構築している前記無線ネットワークに参加していない端末であって前記映像送信端末以外の無線端末から、前記無線端末が映像表示端末であるか否かを示す端末情報を無線受信した場合、自端末が構築している前記無線ネットワークに前記無線端末が参加した後、前記制御部は、前記無線通信インタフェースに、前記無線端末が前記映像表示端末であることを示す端末情報を無線送信した前記無線端末のみへ、前記自端末宛の映像を無線送信させる請求項１に記載の映像表示端末。
【請求項４】
前記無線通信インタフェースが、前記映像送信端末から、前記自端末宛の映像と一緒に、映像の表示を制限することを示す制限情報を無線受信した場合、前記制御部は、前記無線通信インタフェースに、映像の視認性を低下させる画像処理が行われた前記自端末宛の映像を前記他の映像表示端末へ無線送信させる請求項１に記載の映像表示端末。
【請求項５】
前記無線通信インタフェースが、前記映像送信端末から、暗号化された前記自端末宛の映像と一緒に、前記送信先情報が示す送信先に応じた暗号情報を無線受信した場合、前記制御部は、暗号化された前記自端末宛の映像を復号し、復号後の前記自端末宛の映像を前記暗号情報に基づいて暗号化し、前記無線通信インタフェースに、前記暗号情報に基づいて暗号化された前記自端末宛の映像を前記他の映像表示端末へ無線送信させる請求項２に記載の映像表示端末。
【請求項６】
他の端末と無線通信を行う無線通信インタフェースと、
前記無線通信インタフェースが、自端末が参加している無線ネットワークを構築したアクセスポイントとして動作している第１の映像表示端末から映像送信要求を無線受信した場合、前記無線通信インタフェースに、前記第１の映像表示端末へ映像を無線送信させ、前記第１の映像表示端末と映像セッションが確立されているときに、前記第１の映像表示端末以外の第２の映像表示端末と映像セッションが確立された場合、前記無線通信インタフェースに、前記第１の映像表示端末宛の映像の送信先が前記第２の映像表示端末であることを示す送信先情報を前記第１の映像表示端末宛の映像と一緒に前記第１の映像表示端末へ無線送信させる制御部と、
を有する映像送信端末。
【請求項７】
前記制御部は、前記無線通信インタフェースが、前記映像セッションを確立している前記第２の映像表示端末から映像送信要求を無線受信した場合、前記無線通信インタフェースに、前記送信先情報を前記第１の映像表示端末宛の映像と一緒に前記第１の映像表示端末へ無線送信させる請求項６に記載の映像送信端末。
【請求項８】
前記制御部は、前記無線通信インタフェースに、前記第１の映像表示端末宛の映像と一緒に、映像の表示を制限することを示す制限情報を前記第１の映像表示端末へ無線送信させる請求項６に記載の映像送信端末。
【請求項９】
前記制御部は、前記無線通信インタフェースに、前記第１の映像表示端末宛の映像と一緒に、前記送信先情報が示す送信先に応じた暗号情報を前記第１の映像表示端末へ無線送信させる請求項６に記載の映像送信端末。
【請求項１０】
前記制御部は、確立済みの映像セッションの数を計上し、確立済みの映像セッションの数が所定の数未満である場合、前記第２の映像表示端末との映像セッションの確立を許可し、確立済みの映像セッションの数が所定の数以上である場合、前記第２の映像表示端末との映像セッションの確立を拒否し、前記第１の映像表示端末との映像セッションが確立された場合、確立済みの映像セッションの数にかかわらず、前記第２の映像表示端末との映像セッションの確立を許可する請求項６に記載の映像送信端末。
【請求項１１】
第１の映像表示端末と、前記第１の映像表示端末が構築している無線ネットワークに参加している映像送信端末とを有する映像通信システムであって、
前記第１の映像表示端末は、
他の端末と無線通信を行う第１の無線通信インタフェースと、
映像を表示する表示インタフェースと、
ユーザの操作を受け付ける操作インタフェースと、
前記第１の映像表示端末が、無線ネットワークを構築するアクセスポイントとして動作しているときに、前記操作インタフェースが映像表示指示を受け付けた場合、前記第１の無線通信インタフェースに、前記映像送信端末へ映像送信要求を無線送信させ、前記映像送信要求に応答して前記映像送信端末から無線送信されて前記第１の無線通信インタフェースによって無線受信された前記第１の映像表示端末宛の映像を前記表示インタフェースに表示させ、かつ、前記第１の無線通信インタフェースに、前記第１の映像表示端末が構築している前記無線ネットワークに参加している端末であって前記第１の映像表示端末以外の第２の映像表示端末へ前記第１の映像表示端末宛の映像を無線送信させる第１の制御部と、
を有し、
前記映像送信端末は、
他の端末と無線通信を行う第２の無線通信インタフェースと、
前記第２の無線通信インタフェースが前記第１の映像表示端末から前記映像送信要求を無線受信した場合、前記第２の無線通信インタフェースに、前記第１の映像表示端末へ映像を無線送信させ、前記第１の映像表示端末と映像セッションが確立されているときに、前記第２の映像表示端末と映像セッションが確立された場合、前記第２の無線通信インタフェースに、前記第１の映像表示端末宛の映像の送信先が前記第２の映像表示端末であることを示す送信先情報を前記第１の映像表示端末宛の映像と一緒に前記第１の映像表示端末へ無線送信させる第２の制御部と、
を有する映像通信システム。
【請求項１２】
第１の映像表示端末が、無線ネットワークを構築するアクセスポイントとして動作しているときに、前記第１の映像表示端末が有する操作インタフェースが映像表示指示を受け付けた場合、前記第１の映像表示端末が有する無線通信インタフェースが、前記第１の映像表示端末が構築している無線ネットワークに参加している映像送信端末へ映像送信要求を無線送信するステップと、
前記映像送信要求に応答して前記映像送信端末から無線送信されて前記無線通信インタフェースによって無線受信された前記第１の映像表示端末宛の映像を表示インタフェースが表示し、かつ、前記無線通信インタフェースが、前記第１の映像表示端末が構築している前記無線ネットワークに参加している端末であって前記第１の映像表示端末以外の第２の映像表示端末へ前記第１の映像表示端末宛の映像を無線送信するステップと、
を有する映像表示方法。
【請求項１３】
映像送信端末が有する無線通信インタフェースが、前記映像送信端末が参加している無線ネットワークを構築したアクセスポイントとして動作している第１の映像表示端末から映像送信要求を無線受信した場合、前記無線通信インタフェースが前記第１の映像表示端末へ映像を無線送信するステップと、
前記第１の映像表示端末と映像セッションが確立されているときに、前記第１の映像表示端末以外の第２の映像表示端末と映像セッションが確立された場合、前記無線通信インタフェースが、前記第１の映像表示端末宛の映像の送信先が前記第２の映像表示端末であることを示す送信先情報を前記第１の映像表示端末宛の映像と一緒に前記第１の映像表示端末へ無線送信するステップと、
を有する映像送信方法。
【請求項１４】
第１の映像表示端末が、無線ネットワークを構築するアクセスポイントとして動作しているときに、前記第１の映像表示端末が有する操作インタフェースが映像表示指示を受け付けた場合、前記第１の映像表示端末が有する無線通信インタフェースに、前記第１の映像表示端末が構築している無線ネットワークに参加している映像送信端末へ映像送信要求を無線送信させるステップと、
前記映像送信要求に応答して前記映像送信端末から無線送信されて前記無線通信インタフェースによって無線受信された前記第１の映像表示端末宛の映像を表示インタフェースに表示させ、かつ、前記無線通信インタフェースに、前記第１の映像表示端末が構築している前記無線ネットワークに参加している端末であって前記第１の映像表維持端末以外の第２の映像表示端末へ前記第１の映像表示端末宛の映像を無線送信させるステップと、
をコンピュータに実行させるためのプログラム。
【請求項１５】
映像送信端末が有する無線通信インタフェースが、前記映像送信端末が参加している無線ネットワークを構築したアクセスポイントとして動作している第１の映像表示端末から映像送信要求を無線受信した場合、前記無線通信インタフェースに、前記第１の映像表示端末へ映像を無線送信させるステップと、
前記第１の映像表示端末と映像セッションが確立されているときに、前記第１の映像表示端末以外の第２の映像表示端末と映像セッションが確立された場合、前記無線通信インタフェースに、前記第１の映像表示端末宛の映像の送信先が前記第２の映像表示端末であることを示す送信先情報を前記第１の映像表示端末宛の映像と一緒に前記第１の映像表示端末へ無線送信させるステップと、
をコンピュータに実行させるためのプログラム。
【発明の詳細な説明】
【技術分野】
【０００１】
本発明は、無線ネットワークを介して映像通信を行う技術に関する。
【背景技術】
【０００２】
無線ＬＡＮ（Local Area Network）の高速化やＱｏＳ（Quality of Service）の普及などにより、無線ＬＡＮを利用して機器間で映像を通信する機会が増えてきている。ユーザからは映像の高解像化・低圧縮（あるいは非圧縮）化、および、映像ソース端末と映像再生端末との間の遅延の低減といった、映像通信の高品質化の要望がある。このため、映像通信に関して、無線ＬＡＮによるネットワーク内の通信で占めるデータ量が大きくなるとともに、優先的な通信が求められる傾向がある。
【０００３】
一般的なアクセスポイント（以下、ＡＰと略記する）が提供する無線ＬＡＮネットワーク（インフラストラクチャネットワーク）において端末が映像通信を行う場合、ＡＰを介した通信が発生する。または、同じ無線ＬＡＮネットワーク内で、映像通信を行う端末を除く他の端末の通信が発生する。これにより、通信できるデータ量の減少および遅延量の増大が発生する。そのため、映像通信の高品質化というユーザのニーズを満たすのが難しい。
【０００４】
この問題に対し、近年、ＰＣやＴＶ，あるいは携帯電話のような端末では、ソフトウェアでＡＰ機能を実現するソフトＡＰが組み込まれてきている。映像ソース端末または映像再生端末の一方の端末がソフトＡＰとなってネットワークを生成し、他方の端末が、ソフトＡＰとして動作する端末に接続することで、映像ソース端末と映像再生端末との間で直接映像通信を行うことができる。これにより、大量のデータを低遅延で通信することが可能となり、映像通信の高品質化の実現性が高まる。
【０００５】
このソフトＡＰを利用した直接映像通信を行う際の端末間の接続形態として、以下の形態がある。無線端末としての役割にはＡＰまたはステーション（以下、ＳＴＡと略記する））がある。また、映像セッション上の役割には、映像を表示する映像表示端末、または映像表示端末へ映像を送信する映像送信端末がある。無線端末としての役割と映像セッション上の役割との関係には、図２０、図２１に示す２通りの関係が存在しうる。
【０００６】
図２０は、映像送信端末（ＡＰ）３０１と映像表示端末（ＳＴＡ）３０２とが直接映像通信を行う様子を示している。映像送信端末（ＡＰ）３０１によって構築された無線ネットワーク３００に対して映像表示端末（ＳＴＡ）３０２が接続し、映像送信端末（ＡＰ）３０１が映像表示端末（ＳＴＡ）３０２へ映像を送信する。
【０００７】
図２１は、映像送信端末（ＳＴＡ）４０１と映像表示端末（ＡＰ）４０２とが直接映像通信を行う様子を示している。映像表示端末（ＡＰ）４０２によって構築された無線ネットワーク４００に対して映像送信端末（ＳＴＡ）４０１が接続し、映像送信端末（ＳＴＡ）４０１が映像表示端末（ＡＰ）４０２へ映像を送信する。
【０００８】
ここで、無線ネットワーク４００に参加していなかった新たな映像表示端末が無線ネットワーク４００に参加し、映像送信端末（ＳＴＡ）４０１によって映像表示端末（ＡＰ）４０２へ送信される映像と同一の映像を受信して表示する場合、以下の動作が行われる。新たな映像表示端末４０３は、無線ネットワーク４００を構築している映像表示端末（ＡＰ）４０２に対して、自身がＳＴＡとなって接続する。ここで、映像送信端末（ＳＴＡ）４０１は、無線ネットワーク４００内の複数の端末に対して、映像をユニキャストで送信することも、マルチキャストやブロードキャストで送信することも可能である。しかし、映像の高品質と高信頼性とが要求される場合、ユニキャストによる送信が必要となる。
【０００９】
図２２は、図２１に示す状態で、新たな映像表示端末（ＳＴＡ）４０３が参加した場合の無線ネットワークの構成および映像の流れを示している。映像送信端末（ＳＴＡ）４０１が同一の無線ネットワーク４００内の複数の端末に同一の映像をユニキャストで送信する場合、それぞれの送信先ごとに映像の宛先を設定して別々に映像を送信する必要がある。また、映像の宛先がＳＴＡである場合は、送信された映像をＡＰが受信した後、ＡＰから宛先のＳＴＡへ映像が送信される。
【００１０】
図２２においては、映像送信端末（ＳＴＡ）４０１が宛先を映像表示端末（ＡＰ）４０２に設定して映像を送信する（映像送信４０１１）。続いて、映像送信端末（ＳＴＡ）４０１が宛先を映像表示端末（ＳＴＡ）４０３に設定し、映像送信４０１１で送信された映像と同一の映像を送信する（映像送信４０１２）。その映像を映像表示端末（ＡＰ）４０２が受信し、映像表示端末（ＡＰ）４０２が映像表示端末（ＳＴＡ）４０３へ、受信した映像を送信する（映像送信４０１３）。
【００１１】
図２３は、図２２における映像送信４０１１、４０１２、４０１３を、時系列に沿って示している。図２３の横方向が時間の進む方向である。まず、映像送信４０１１が行われ、映像表示端末（ＡＰ）４０２で映像が表示される。続いて、映像送信４０１２が行われた後、映像送信４０１３が行われて、映像表示端末（ＳＴＡ）４０３で映像が表示される。図２２、図２３において、映像送信４０１２、４０１３、４０１１の順で送信が行われてもよい。
【００１２】
図２１に示す状態から、図２２、図２３に示したように新たな映像表示端末（ＳＴＡ）が参加し、映像表示端末の数が２台となると、時系列的に映像送信４０１１、４０１２、４０１３を行うために３スロットが占有される。映像表示端末（ＳＴＡ）が１台増加すると、ＡＰ経由で映像通信が行われるため、２スロット分の占有時間が増加する。映像表示端末数がＮ台の場合は、２Ｎ−１スロットが占有される。そのため、映像送信端末（ＳＴＡ）４０１が同一の映像を複数回送信することにより、無駄にスループットが低下する。
【００１３】
特許文献１では、映像表示端末であるプロジェクタがＡＰとして動作している場合（ネットワーク構成が図２１と同じ構成である場合）に新規のプロジェクタが追加されると、ＡＰであったプロジェクタの役割がＳＴＡに切り替わる技術が公開されている。これにより、例えばネットワーク構成が図２２の構成である場合には、映像送信端末４０１がＡＰとなりうる。その場合には、映像はＡＰから直接各ＳＴＡへ送信されるため、スループットの低下を低減することができる。
【先行技術文献】
【特許文献】
【００１４】
【特許文献１】特開２０１０−１８７１６８号公報
【発明の概要】
【発明が解決しようとする課題】
【００１５】
しかし、特許文献１では、ネットワーク構成が図２２の構成である場合、ＡＰが映像表示端末４０２から映像送信端末４０１へ切り替わる際にネットワークの切断が発生する。
【００１６】
本発明は、上述した課題に鑑みてなされたものであって、アクセスポイントとして動作する映像表示端末が構築している無線ネットワークに映像送信端末と他の映像表示端末とが参加している場合に、ネットワークの切断を発生させずに、映像送信端末からの映像送信時のスループットの低下を低減することを目的とする。
【課題を解決するための手段】
【００１７】
本発明は、上記の課題を解決するためになされたもので、他の端末と無線通信を行う無線通信インタフェースと、映像を表示する表示インタフェースと、ユーザの操作を受け付ける操作インタフェースと、自端末が、無線ネットワークを構築するアクセスポイントとして動作しているときに、前記操作インタフェースが映像表示指示を受け付けた場合、前記無線通信インタフェースに、自端末が構築している無線ネットワークに参加している映像送信端末へ映像送信要求を無線送信させ、前記映像送信要求に応答して前記映像送信端末から無線送信されて前記無線通信インタフェースによって無線受信された自端末宛の映像を前記表示インタフェースに表示させ、かつ、前記無線通信インタフェースに、自端末が構築している前記無線ネットワークに参加している他の映像表示端末へ前記自端末宛の映像を無線送信させる制御部と、を有する映像表示端末である。
【００１８】
また、本発明は、他の端末と無線通信を行う無線通信インタフェースと、前記無線通信インタフェースが、自端末が参加している無線ネットワークを構築したアクセスポイントとして動作している第１の映像表示端末から映像送信要求を無線受信した場合、前記無線通信インタフェースに、前記第１の映像表示端末へ映像を無線送信させ、前記第１の映像表示端末と映像セッションが確立されているときに、前記第１の映像表示端末以外の第２の映像表示端末と映像セッションが確立された場合、前記無線通信インタフェースに、前記第１の映像表示端末宛の映像の送信先が前記第２の映像表示端末であることを示す送信先情報を前記第１の映像表示端末宛の映像と一緒に前記第１の映像表示端末へ無線送信させる制御部と、を有する映像送信端末である。
【００１９】
また、本発明は、第１の映像表示端末と、前記第１の映像表示端末が構築している無線ネットワークに参加している映像送信端末とを有する映像通信システムであって、前記第１の映像表示端末は、他の端末と無線通信を行う第１の無線通信インタフェースと、映像を表示する表示インタフェースと、ユーザの操作を受け付ける操作インタフェースと、前記第１の映像表示端末が、無線ネットワークを構築するアクセスポイントとして動作しているときに、前記操作インタフェースが映像表示指示を受け付けた場合、前記第１の無線通信インタフェースに、前記映像送信端末へ映像送信要求を無線送信させ、前記映像送信要求に応答して前記映像送信端末から無線送信されて前記第１の無線通信インタフェースによって無線受信された前記第１の映像表示端末宛の映像を前記表示インタフェースに表示させ、かつ、前記第１の無線通信インタフェースに、前記第１の映像表示端末が構築している前記無線ネットワークに参加している端末であって前記第１の映像表示端末以外の第２の映像表示端末へ前記第１の映像表示端末宛の映像を無線送信させる第１の制御部と、を有し、前記映像送信端末は、他の端末と無線通信を行う第２の無線通信インタフェースと、前記第２の無線通信インタフェースが前記第１の映像表示端末から前記映像送信要求を無線受信した場合、前記第２の無線通信インタフェースに、前記第１の映像表示端末へ映像を無線送信させ、前記第１の映像表示端末と映像セッションが確立されているときに、前記第２の映像表示端末と映像セッションが確立された場合、前記第２の無線通信インタフェースに、前記第１の映像表示端末宛の映像の送信先が前記第２の映像表示端末であることを示す送信先情報を前記第１の映像表示端末宛の映像と一緒に前記第１の映像表示端末へ無線送信させる第２の制御部と、を有する映像通信システムである。
【００２０】
また、本発明は、第１の映像表示端末が、無線ネットワークを構築するアクセスポイントとして動作しているときに、前記第１の映像表示端末が有する操作インタフェースが映像表示指示を受け付けた場合、前記第１の映像表示端末が有する無線通信インタフェースが、前記第１の映像表示端末が構築している無線ネットワークに参加している映像送信端末へ映像送信要求を無線送信するステップと、前記映像送信要求に応答して前記映像送信端末から無線送信されて前記無線通信インタフェースによって無線受信された前記第１の映像表示端末宛の映像を表示インタフェースが表示し、かつ、前記無線通信インタフェースが、前記第１の映像表示端末が構築している前記無線ネットワークに参加している端末であって前記第１の映像表示端末以外の第２の映像表示端末へ前記第１の映像表示端末宛の映像を無線送信するステップと、を有する映像表示方法である。
【００２１】
また、本発明は、映像送信端末が有する無線通信インタフェースが、前記映像送信端末が参加している無線ネットワークを構築したアクセスポイントとして動作している第１の映像表示端末から映像送信要求を無線受信した場合、前記無線通信インタフェースが前記第１の映像表示端末へ映像を無線送信するステップと、前記第１の映像表示端末と映像セッションが確立されているときに、前記第１の映像表示端末以外の第２の映像表示端末と映像セッションが確立された場合、前記無線通信インタフェースが、前記第１の映像表示端末宛の映像の送信先が前記第２の映像表示端末であることを示す送信先情報を前記第１の映像表示端末宛の映像と一緒に前記第１の映像表示端末へ無線送信するステップと、を有する映像送信方法である。
【００２２】
また、本発明は、第１の映像表示端末が、無線ネットワークを構築するアクセスポイントとして動作しているときに、前記第１の映像表示端末が有する操作インタフェースが映像表示指示を受け付けた場合、前記第１の映像表示端末が有する無線通信インタフェースに、前記第１の映像表示端末が構築している無線ネットワークに参加している映像送信端末へ映像送信要求を無線送信させるステップと、前記映像送信要求に応答して前記映像送信端末から無線送信されて前記無線通信インタフェースによって無線受信された前記第１の映像表示端末宛の映像を表示インタフェースに表示させ、かつ、前記無線通信インタフェースに、前記第１の映像表示端末が構築している前記無線ネットワークに参加している端末であって前記第１の映像表維持端末以外の第２の映像表示端末へ前記第１の映像表示端末宛の映像を無線送信させるステップと、をコンピュータに実行させるためのプログラムである。
【００２３】
また、本発明は、映像送信端末が有する無線通信インタフェースが、前記映像送信端末が参加している無線ネットワークを構築したアクセスポイントとして動作している第１の映像表示端末から映像送信要求を無線受信した場合、前記無線通信インタフェースに、前記第１の映像表示端末へ映像を無線送信させるステップと、前記第１の映像表示端末と映像セッションが確立されているときに、前記第１の映像表示端末以外の第２の映像表示端末と映像セッションが確立された場合、前記無線通信インタフェースに、前記第１の映像表示端末宛の映像の送信先が前記第２の映像表示端末であることを示す送信先情報を前記第１の映像表示端末宛の映像と一緒に前記第１の映像表示端末へ無線送信させるステップと、をコンピュータに実行させるためのプログラムである。
【発明の効果】
【００２４】
本発明によれば、アクセスポイントとして動作する映像表示端末が構築している無線ネットワークに映像送信端末と他の映像表示端末とが参加している場合に、アクセスポイントとして動作する映像表示端末が、映像送信端末から自身宛に無線送信される映像を他の映像表示端末へ無線送信する。したがって、ネットワークの切断を発生させずに、映像送信端末からの映像送信時のスループットの低下を低減することができる。
【図面の簡単な説明】
【００２５】
【図１】本発明の第１の実施形態による映像表示端末の構成を示すブロック図である。
【図２】本発明の第１の実施形態による映像表示端末の動作の手順を示すフローチャートである。
【図３】本発明の第１の実施形態における映像送信端末（ＳＴＡ）、映像表示端末（ＡＰ）、映像表示端末（ＳＴＡ）の動作を示すシーケンス図である。
【図４】本発明の第２の実施形態による映像送信端末の構成を示すブロック図である。
【図５】本発明の第２の実施形態による映像表示端末の動作の手順を示すフローチャートである。
【図６】本発明の第２の実施形態による映像送信端末の動作の手順を示すフローチャートである。
【図７】本発明の第２の実施形態における映像送信端末（ＳＴＡ）、映像表示端末（ＡＰ）、映像表示端末（ＳＴＡ）の動作を示すシーケンス図である。
【図８】本発明の第３の実施形態による映像送信端末の動作の手順を示すフローチャートである。
【図９】本発明の第３の実施形態における映像送信端末（ＳＴＡ）、映像表示端末（ＡＰ）、映像表示端末（ＳＴＡ）の動作を示すシーケンス図である。
【図１０】本発明の第４の実施形態による映像表示端末の動作の手順を示すフローチャートである。
【図１１】本発明の第４の実施形態における映像送信端末（ＳＴＡ）、映像表示端末（ＡＰ）、映像表示端末（ＳＴＡ）の動作を示すシーケンス図である。
【図１２】本発明の第５の実施形態による映像表示端末の動作の手順を示すフローチャートである。
【図１３】本発明の第５の実施形態による映像送信端末の動作の手順を示すフローチャートである。
【図１４】本発明の第５の実施形態における映像送信端末（ＳＴＡ）、映像表示端末（ＡＰ）、映像表示端末（ＳＴＡ）の動作を示すシーケンス図である。
【図１５】本発明の第６の実施形態による映像表示端末の動作の手順を示すフローチャートである。
【図１６】本発明の第６の実施形態による映像送信端末の動作の手順を示すフローチャートである。
【図１７】本発明の第６の実施形態における映像送信端末（ＳＴＡ）、映像表示端末（ＡＰ）、映像表示端末（ＳＴＡ）の動作を示すシーケンス図である。
【図１８】本発明の第７の実施形態による映像送信端末の動作の手順を示すフローチャートである。
【図１９】本発明の第７の実施形態における映像送信端末（ＳＴＡ）、映像表示端末（ＡＰ）、映像表示端末（ＳＴＡ）の動作を示すシーケンス図である。
【図２０】無線端末としての役割と映像セッション上の役割との関係を説明するためのブロック図である。
【図２１】無線端末としての役割と映像セッション上の役割との関係を説明するためのブロック図である。
【図２２】新たな映像表示端末が無線ネットワークに参加した場合の無線ネットワークの構成および映像の流れを示すブロック図である。
【図２３】新たな映像表示端末が無線ネットワークに参加した場合の映像送信を示すタイミングチャートである。
【発明を実施するための形態】
【００２６】
以下、図面を参照し、本発明の実施形態を説明する。以下の各実施形態において、映像とは、映像を構成する映像データと、映像データに基づいて表示部に表示される映像と、の両方を指す。つまり、映像送信端末と映像表示端末との間で送信および受信される映像データと、映像表示端末において映像データに基づいて表示される映像との両方が、映像と記載される。
【００２７】
（第１の実施形態）
まず、本発明の第１の実施形態を説明する。図１は、本実施形態による映像表示端末の構成を示している。図１に示す映像表示端末は、無線通信部１０と、表示部１１と、操作部１２と、制御部１３と、を有する。
【００２８】
無線通信部１０は、他の端末と無線通信を行う無線通信インタフェース（無線通信モジュール、無線通信デバイス）である。表示部１１は、無線通信部１０によって受信された映像を表示する表示インタフェース（表示モジュール、表示デバイス）である。操作部１２は、ユーザの操作を受け付ける操作インタフェース（操作モジュール、操作デバイス）である。制御部１３は、映像表示端末の各部を制御する。より具体的には、制御部１３は、自端末（第１の映像表示端末）が、無線ネットワークを構築するアクセスポイントとして動作しているときに、操作部１２が映像表示指示を受け付けた場合、無線通信部１０に、自端末が構築している無線ネットワークに参加している映像送信端末へ映像送信要求を無線送信させる。また、制御部１３は、映像送信要求に応答して映像送信端末から無線送信されて無線通信部１０によって無線受信された自端末宛の映像を表示部１１に表示させる。また、制御部１３は、無線通信部１０に、自端末が構築している無線ネットワークに参加している他の映像表示端末（第１の映像表示端末が構築している無線ネットワークに参加している端末であって第１の映像表示端末以外の第２の映像表示端末）へ自端末宛の映像を無線送信させる。
【００２９】
制御部１３の機能は、図示していない記憶部に記憶されているプログラムを、映像表示端末のコンピュータ（ＣＰＵ）が読み込んで実行することにより、ソフトウェアの機能として実現することが可能である。また、このプログラムは、例えばフラッシュメモリのような「コンピュータ読み取り可能な記録媒体」により提供されてもよい。また、上述したプログラムは、このプログラムを記憶装置等に格納したコンピュータから、伝送媒体を介して、あるいは伝送媒体中の伝送波により映像表示端末に伝送されることで映像表示端末に入力されてもよい。ここで、プログラムを伝送する「伝送媒体」は、インターネット等のネットワーク（通信網）や電話回線等の通信回線（通信線）のように、情報を伝送する機能を有する媒体である。また、上述したプログラムは、前述した機能の一部を実現してもよい。さらに、上述したプログラムは、前述した機能をコンピュータに既に記録されているプログラムとの組合せで実現できる、いわゆる差分ファイル（差分プログラム）であってもよい。
【００３０】
図２は、映像表示端末の動作を示している。以下では、映像表示端末の動作を説明する。
【００３１】
映像表示端末はＡＰとしての動作を開始する（ステップＳ１０１）。このとき、制御部１３は無線通信部１０に無線ネットワークを構築させ、無線通信部１０は無線ネットワークを構築する。無線ネットワークの構築は、無線ネットワークの識別子であるＳＳＩＤと、暗号鍵であるパスフレーズとを生成することにより行われる。
【００３２】
続いて、制御部１３は操作部１２の状態を監視し、操作部１２が映像表示指示を受け付けたか否かを判定する（ステップＳ１０２）。操作部１２が映像表示指示を受け付けていない場合、制御部１３は操作部１２の状態の監視を継続する。操作部１２が映像表示指示を受け付けた場合、無線通信部１０は、自端末が構築している無線ネットワークに参加している映像送信端末へ映像送信要求を無線送信する（ステップＳ１０３）。このとき、制御部１３は、無線通信部１０に、自端末が構築している無線ネットワークに参加している映像送信端末へ映像送信要求を無線送信させる。映像送信要求は、映像の送信を要求することを示すメッセージである。図示していない処理により、映像表示端末と映像送信端末との間で映像セッションが確立されることにより、映像表示端末は映像送信端末の存在を知ることができる。
【００３３】
映像送信要求が無線送信された後、制御部１３は、無線通信部１０の状態を監視し、自端末宛の映像が無線受信されたか否かを判定する（ステップＳ１０４）。自端末宛の映像が無線受信されていない場合、制御部１３は無線通信部１０の状態の監視を継続する。映像送信要求に応答して映像送信端末から自端末宛の映像が無線送信された場合、無線通信部１０は自端末宛の映像を無線受信する。このとき、制御部１３は、映像送信要求に応答して映像送信端末から無線送信された自端末宛の映像を無線通信部１０に無線受信させる。
【００３４】
自端末宛の映像が無線受信された場合、表示部１１は、受信された映像を表示し、無線通信部１０は、自端末が構築している無線ネットワークに参加している他の映像表示端末へ自端末宛の映像を無線送信する（ステップＳ１０５）。このとき、制御部１３は、映像送信要求に応答して映像送信端末から無線送信されて無線通信部１０によって無線受信された自端末宛の映像を表示部１１に表示させ、かつ、無線通信部１０に、自端末が構築している無線ネットワークに参加している他の映像表示端末へ自端末宛の映像を無線送信させる。図示していない処理により、無線ネットワークに接続していない他の映像表示端末からの接続要求を受信することにより、映像表示端末は他の映像表示端末の存在を知ることができる。接続要求は、接続相手となる端末に接続を要求することを示すメッセージである。
【００３５】
ステップＳ１０５は、表示部１１が、受信された映像を表示するステップと、無線通信部１０が、自端末が構築している無線ネットワークに参加している他の映像表示端末へ自端末宛の映像を無線送信するステップとに分かれていてもよい。その場合、映像の表示と映像の無線送信とは、どちらが先に行われてもよい。
【００３６】
映像が無線送信された後、ステップＳ１０４の処理が行われる。
【００３７】
図３は、無線ネットワークにおける映像送信端末（ＳＴＡ）２０１、映像表示端末（ＡＰ）２０２、映像表示端末（ＳＴＡ）２０３の動作を示している。各端末は、映像表示端末（ＡＰ）２０２によって構築された無線ネットワークに参加している。
【００３８】
映像表示端末（ＡＰ）２０２で映像表示指示が受け付けられる（ステップＳ１０２に対応）と、映像表示端末（ＡＰ）２０２は映像送信端末（ＳＴＡ）２０１へ映像送信要求を無線送信する（ステップＳ１０３に対応）。映像送信端末（ＳＴＡ）２０１は映像送信要求を無線受信し、映像表示端末（ＡＰ）２０２宛の第１の映像、第２の映像、第３の映像を所定の間隔で順次、映像表示端末（ＡＰ）２０２へ無線送信する。映像表示端末（ＡＰ）２０２は第１の映像を無線受信して表示部１１に第１の映像を表示させ、映像表示端末（ＳＴＡ）２０３へ第１の映像を無線送信する（ステップＳ１０４，Ｓ１０５に対応）。映像表示端末（ＡＰ）２０２は第２の映像、第３の映像に対して同様の処理を順次行う。
【００３９】
図３において、映像送信端末（ＳＴＡ）２０１は例えばパーソナルコンピュータ（ＰＣ）であり、映像表示端末（ＡＰ）２０２は例えばテレビであり、映像表示端末（ＳＴＡ）２０３は例えばスマートフォンである。例えば、本実施形態を適用することにより、ＰＣから無線送信される映像をテレビが表示しつつ、同じ映像を、テレビが配置されている部屋とは異なる部屋等に存在するスマートフォンが表示することが可能である。
【００４０】
本実施形態によれば、他の端末と無線通信を行う無線通信インタフェース（無線通信部１０）と、映像を表示する表示インタフェース（表示部１１）と、ユーザの操作を受け付ける操作インタフェース（操作部１２）と、自端末が、無線ネットワークを構築するアクセスポイントとして動作しているときに、操作インタフェースが映像表示指示を受け付けた場合、無線通信インタフェースに、自端末が構築している無線ネットワークに参加している映像送信端末へ映像送信要求を無線送信させ、映像送信要求に応答して映像送信端末から無線送信されて無線通信インタフェースによって無線受信された自端末宛の映像を表示インタフェースに表示させ、かつ、無線通信インタフェースに、自端末が構築している無線ネットワークに参加している他の映像表示端末へ自端末宛の映像を無線送信させる制御部１３と、を有する映像表示端末が構成される。
【００４１】
また、本実施形態によれば、第１の映像表示端末が、無線ネットワークを構築するアクセスポイントとして動作しているときに、第１の映像表示端末が有する操作インタフェース（操作部１２）が映像表示指示を受け付けた場合、第１の映像表示端末が有する無線通信インタフェース（無線通信部１０）が、第１の映像表示端末が構築している無線ネットワークに参加している映像送信端末へ映像送信要求を無線送信するステップＳ１０３と、映像送信要求に応答して映像送信端末から無線送信されて無線通信インタフェースによって無線受信された第１の映像表示端末宛の映像を表示インタフェース（表示部１１）が表示し、かつ、無線通信インタフェースが、第１の映像表示端末が構築している無線ネットワークに参加している端末であって第１の映像表示端末以外の第２の映像表示端末へ第１の映像表示端末宛の映像を無線送信するステップＳ１０５と、を有する映像表示方法が構成される。
【００４２】
また、本実施形態によれば、第１の映像表示端末が、無線ネットワークを構築するアクセスポイントとして動作しているときに、第１の映像表示端末が有する操作インタフェース（操作部１２）が映像表示指示を受け付けた場合、第１の映像表示端末が有する無線通信インタフェース（無線通信部１０）に、第１の映像表示端末が構築している無線ネットワークに参加している映像送信端末へ映像送信要求を無線送信させるステップＳ１０３と、映像送信要求に応答して映像送信端末から無線送信されて無線通信インタフェースによって無線受信された第１の映像表示端末宛の映像を表示インタフェース（表示部１１）に表示させ、かつ、無線通信インタフェースに、第１の映像表示端末が構築している無線ネットワークに参加している端末であって第１の映像表示端末以外の第２の映像表示端末へ第１の映像表示端末宛の映像を無線送信させるステップＳ１０５と、をコンピュータに実行させるためのプログラムが構成される。
【００４３】
本実施形態では、アクセスポイントとして動作する映像表示端末が構築している無線ネットワークに映像送信端末と他の映像表示端末とが参加している場合に、アクセスポイントとして動作する映像表示端末が、映像送信端末から自身宛に無線送信される映像を他の映像表示端末へ無線送信する。したがって、ネットワークの切断を発生させずに、映像送信端末から各映像表示端末への映像送信時のスループットの低下を低減することができる。
【００４４】
（第２の実施形態）
次に、本発明の第２の実施形態を説明する。図４は、本実施形態による映像送信端末の構成を示している。図４に示す映像送信端末は、無線通信部２０と、記憶部２１と、制御部２２と、を有する。
【００４５】
無線通信部２０は、他の端末と無線通信を行う無線通信インタフェース（無線通信モジュール、無線通信デバイス）である。記憶部２１は、映像や各種情報を記憶するメモリやバッファ等の記憶媒体を有する記憶モジュール（記憶デバイス）である。記憶部２１は、ネットワークの切断を発生させずに、映像送信端末からの映像送信時のスループットの低下を低減するという作用効果を得るために必須の構成ではない。映像送信端末は、必要に応じて記憶部２１を備えていればよい。
【００４６】
制御部２２は、映像送信端末の各部を制御する。より具体的には、制御部２２は、無線通信部２０が、自端末が参加している無線ネットワークを構築したアクセスポイントとして動作している第１の映像表示端末から映像送信要求を無線受信した場合、無線通信部２０に、第１の映像表示端末へ映像を無線送信させる。また、制御部２２は、第１の映像表示端末と映像セッションが確立されているときに、第１の映像表示端末以外の第２の映像表示端末と映像セッションが確立された場合、無線通信部２０に、第１の映像表示端末宛の映像の送信先が第２の映像表示端末であることを示す送信先情報を第１の映像表示端末宛の映像と一緒に第１の映像表示端末へ無線送信させる。
【００４７】
送信先情報は、例えばＭＡＣ（Media Access Control）アドレスである。映像を含むパケットの宛先を示す情報は単一の端末の情報（例えばＭＡＣアドレス）である。この宛先を示す情報とは別に、送信先情報が付加情報として、映像を含むパケットに追加される。
【００４８】
制御部２２の機能は、図示していない記憶部に記憶されているプログラムを、映像送信端末のコンピュータ（ＣＰＵ）が読み込んで実行することにより、ソフトウェアの機能として実現することが可能である。また、このプログラムは、例えばフラッシュメモリのような「コンピュータ読み取り可能な記録媒体」により提供されてもよい。また、上述したプログラムは、このプログラムを記憶装置等に格納したコンピュータから、伝送媒体を介して、あるいは伝送媒体中の伝送波により映像送信端末に伝送されることで映像送信端末に入力されてもよい。ここで、プログラムを伝送する「伝送媒体」は、インターネット等のネットワーク（通信網）や電話回線等の通信回線（通信線）のように、情報を伝送する機能を有する媒体である。また、上述したプログラムは、前述した機能の一部を実現してもよい。さらに、上述したプログラムは、前述した機能をコンピュータに既に記録されているプログラムとの組合せで実現できる、いわゆる差分ファイル（差分プログラム）であってもよい。
【００４９】
本実施形態による映像表示端末の構成は、図１に示す構成と同一である。本実施形態では、無線通信部１０が、映像送信端末から、自端末宛の映像と一緒に、自端末宛の映像の送信先を示す送信先情報を無線受信した場合、制御部１３は、無線通信部１０に、送信先情報が示す映像表示端末へ、自端末宛の映像を無線送信させる。
【００５０】
図５は、映像表示端末の動作を示している。以下では、映像表示端末の動作について、図２に示す動作と異なる部分を説明する。
【００５１】
ステップＳ１０４で自端末宛の映像が無線受信された場合、表示部１１は、受信された映像を表示する（ステップＳ１１５）。このとき、制御部１３は、映像送信要求に応答して映像送信端末から無線送信されて無線通信部１０によって無線受信された自端末宛の映像を表示部１１に表示させる。
【００５２】
映像が表示された後、制御部１３は、映像と一緒に送信先情報が無線受信されたか否かを判定する（ステップＳ１１６）。ステップＳ１０４で自端末宛の映像と一緒に送信先情報が無線受信されていない場合、ステップＳ１０４の処理が行われる。映像送信要求に応答して映像送信端末から自端末宛の映像と一緒に送信先情報が無線送信された場合、無線通信部１０は自端末宛の映像と一緒に送信先情報を無線受信する。このとき、制御部１３は、映像送信要求に応答して映像送信端末から無線送信された自端末宛の映像と一緒に送信先情報を無線通信部１０に無線受信させる。
【００５３】
映像と一緒に送信先情報が無線受信された場合、無線通信部１０は、送信先情報が示す映像表示端末へ自端末宛の映像を無線送信する（ステップＳ１１７）。このとき、制御部１３は、無線通信部１０に、送信先情報が示す映像表示端末へ自端末宛の映像を無線送信させる。映像が無線送信された後、ステップＳ１０４の処理が行われる。
【００５４】
図５に示す動作では映像が表示された後に映像が無線送信されるが、映像が無線送信された後に映像が表示されてもよい。例えば、ステップＳ１０４で自端末宛の映像が無線受信された場合、ステップＳ１１６で判定が行われる。ステップＳ１１６で送信先情報が無線受信されていると判定された場合、ステップＳ１１７で映像が無線送信された後、ステップＳ１１５で映像が表示される。ステップＳ１１６で送信先情報が無線受信されていないと判定された場合、ステップＳ１１５で映像が表示される。
【００５５】
図６は、映像送信端末の動作を示している。以下では、映像送信端末の動作を説明する。
【００５６】
制御部２２は、無線通信部２０の状態を監視し、映像表示端末（ＡＰ）からの映像送信要求が無線受信されたか否かを判定する（ステップＳ３０１）。映像表示端末（ＡＰ）からの映像送信要求が無線受信されていない場合、制御部２２は無線通信部２０の状態の監視を継続する。映像表示端末（ＡＰ）から映像送信要求が無線送信された場合、無線通信部２０は映像表示端末（ＡＰ）からの映像送信要求を無線受信する。このとき、制御部２２は、映像表示端末（ＡＰ）からの映像送信要求を無線通信部２０に無線受信させる。
【００５７】
映像表示端末（ＡＰ）からの映像送信要求が無線受信された場合、無線通信部２０は、記憶部２１に記憶されている映像を映像表示端末（ＡＰ）へ無線送信する（ステップＳ３０２）。このとき、制御部２２は、無線通信部２０に対して、記憶部２１に記憶されている映像を映像表示端末（ＡＰ）へ無線送信させる。ステップＳ３０２の処理は所定の間隔で繰り返される。ステップＳ３０２における無線送信のタイミングは、ステップＳ３０３，Ｓ３０４の実行に影響されない。
【００５８】
ステップＳ３０２で映像が映像表示端末（ＡＰ）へ無線送信される前に、図示していない処理により、映像送信端末と映像表示端末（ＡＰ）との間で映像セッションが確立されている。映像セッションの確立は、映像送信端末から開始されてもよいし、映像表示端末から開始されてもよい。映像セッションの確立では、映像送信端末と映像表示端末との間で使用される映像や音声フォーマットの決定等が行われる。映像送信端末と映像表示端末とは、決定された情報を互いに保持する。
【００５９】
映像が無線送信された後、制御部２２は、映像表示端末（ＡＰ）を除く映像表示端末と映像セッションを確立済みであるか否かを判定する（ステップＳ３０３）。映像表示端末（ＡＰ）を除く映像表示端末と映像セッションが確立されていない場合、ステップＳ３０２の処理が行われる。映像表示端末（ＡＰ）を除く映像表示端末と映像セッションが確立されている場合、制御部２２は、以降の処理で映像を無線送信する際に、映像セッションが確立した映像表示端末を示す送信先情報を追加することを示す設定情報を記憶部２１に記憶させる（ステップＳ３０４）。
【００６０】
映像表示端末（ＡＰ）を除く映像表示端末と映像セッションが確立されるごとに、ステップＳ３０４で送信先情報に、新たに映像セッションが確立された映像表示端末の情報が追加される。例えば、映像表示端末（ＡＰ）を除く２台の映像表示端末と映像セッションが確立されている場合、設定情報が示す送信先情報は２台の映像表示端末の情報を含む。ステップＳ３０４における設定情報の記憶は、ネットワークの切断を発生させずに、映像送信端末からの映像送信時のスループットの低下を低減するという作用効果を得るために必須の処理ではない。
【００６１】
設定情報が記憶部２１に記憶された後、ステップＳ３０２の処理が行われる。ステップＳ３０４の処理が行われた場合、ステップＳ３０２で無線通信部２０は、記憶部２１に記憶されている映像と一緒に送信先情報を映像表示端末（ＡＰ）へ無線送信する。また、ステップＳ３０２で制御部２２は、記憶部２１に記憶されている設定情報に従って、無線通信部２０に、記憶部２１に記憶されている映像と一緒に送信先情報を映像表示端末（ＡＰ）へ無線送信させる。
【００６２】
図７は、無線ネットワークにおける映像送信端末（ＳＴＡ）２０１、映像表示端末（ＡＰ）２０２、映像表示端末（ＳＴＡ）２０３の動作を示している。各端末は、映像表示端末（ＡＰ）２０２によって構築された無線ネットワークに参加している。映像送信端末（ＳＴＡ）２０１と映像表示端末（ＡＰ）２０２との間では映像セッションが確立済みである。
【００６３】
映像表示端末（ＡＰ）２０２で映像表示指示が受け付けられる（ステップＳ１０２に対応）と、映像表示端末（ＡＰ）２０２は映像送信端末（ＳＴＡ）２０１へ映像送信要求を無線送信する（ステップＳ１０３に対応）。映像送信端末（ＳＴＡ）２０１は映像送信要求を無線受信し（ステップＳ３０１に対応）、映像表示端末（ＡＰ）２０２宛の第１の映像を映像表示端末（ＡＰ）２０２へ無線送信する（ステップＳ３０２に対応）。映像表示端末（ＡＰ）２０２は第１の映像を無線受信して表示部１１に第１の映像を表示させる（ステップＳ１０４，Ｓ１１５に対応）。
【００６４】
その後、映像送信端末（ＳＴＡ）２０１と映像表示端末（ＳＴＡ）２０３との間で映像セッションが確立される。映像セッションが確立された後、映像送信端末（ＳＴＡ）２０１は、映像表示端末（ＡＰ）２０２宛の第２の映像と、送信先が映像表示端末（ＳＴＡ）２０３であることを示す送信先情報とを映像表示端末（ＡＰ）２０２へ無線送信する（ステップＳ３０４，Ｓ３０２に対応）。映像表示端末（ＡＰ）２０２は第２の映像と送信先情報とを受信して表示部１１に第２の映像を表示させ（ステップＳ１０４，Ｓ１１５に対応）、送信先情報に従って映像表示端末（ＳＴＡ）２０３へ第２の映像を無線送信する（ステップＳ１１７に対応）。その後、映像送信端末（ＳＴＡ）２０１および映像表示端末（ＡＰ）２０２は、第３の映像に対して、第２の映像に対して行った処理と同様の処理を行う。
【００６５】
本実施形態によれば、他の端末と無線通信を行う無線通信インタフェース（無線通信部２０）と、無線通信インタフェースが、自端末が参加している無線ネットワークを構築したアクセスポイントとして動作している第１の映像表示端末から映像送信要求を無線受信した場合、無線通信インタフェースに、第１の映像表示端末へ映像を無線送信させ、第１の映像表示端末と映像セッションが確立されているときに、第１の映像表示端末以外の第２の映像表示端末と映像セッションが確立された場合、無線通信インタフェースに、第１の映像表示端末宛の映像の送信先が第２の映像表示端末であることを示す送信先情報を第１の映像表示端末宛の映像と一緒に第１の映像表示端末へ無線送信させる制御部２２と、を有する映像送信端末が構成される。
【００６６】
また、本実施形態によれば、第１の映像表示端末と、第１の映像表示端末が構築している無線ネットワークに参加している映像送信端末とを有する映像通信システムであって、第１の映像表示端末は、他の端末と無線通信を行う第１の無線通信インタフェース（無線通信部１０）と、映像を表示する表示インタフェース（表示部１１）と、ユーザの操作を受け付ける操作インタフェース（操作部１２）と、第１の映像表示端末が、無線ネットワークを構築するアクセスポイントとして動作しているときに、操作インタフェースが映像表示指示を受け付けた場合、第１の無線通信インタフェースに、映像送信端末へ映像送信要求を無線送信させ、映像送信要求に応答して映像送信端末から無線送信されて第１の無線通信インタフェースによって無線受信された第１の映像表示端末宛の映像を表示インタフェースに表示させ、かつ、第１の無線通信インタフェースに、第１の映像表示端末が構築している無線ネットワークに参加している端末であって第１の映像表示端末以外の第２の映像表示端末へ第１の映像表示端末宛の映像を無線送信させる第１の制御部（制御部１３）と、を有する映像通信システムが構成される。
【００６７】
また、本実施形態による映像通信システムにおける映像送信端末は、他の端末と無線通信を行う第２の無線通信インタフェース（無線通信部２０）と、第２の無線通信インタフェースが第１の映像表示端末から映像送信要求を無線受信した場合、第２の無線通信インタフェースに、第１の映像表示端末へ映像を無線送信させ、第１の映像表示端末と映像セッションが確立されているときに、第２の映像表示端末と映像セッションが確立された場合、第２の無線通信インタフェースに、第１の映像表示端末宛の映像の送信先が第２の映像表示端末であることを示す送信先情報を第１の映像表示端末宛の映像と一緒に第１の映像表示端末へ無線送信させる第２の制御部（制御部２２）と、を有する。
【００６８】
また、本実施形態によれば、映像送信端末が有する無線通信インタフェース（無線通信部２０）が、映像送信端末が参加している無線ネットワークを構築したアクセスポイントとして動作している第１の映像表示端末から映像送信要求を無線受信した場合、無線通信インタフェースが第１の映像表示端末へ映像を無線送信するステップＳ３０２と、第１の映像表示端末と映像セッションが確立されているときに、第１の映像表示端末以外の第２の映像表示端末と映像セッションが確立された場合、無線通信インタフェースが、第１の映像表示端末宛の映像の送信先が第２の映像表示端末であることを示す送信先情報を第１の映像表示端末宛の映像と一緒に第１の映像表示端末へ無線送信するステップＳ３０２と、を有する映像送信方法が構成される。
【００６９】
また、本実施形態によれば、映像送信端末が有する無線通信インタフェース（無線通信部２０）が、映像送信端末が参加している無線ネットワークを構築したアクセスポイントとして動作している第１の映像表示端末から映像送信要求を無線受信した場合、無線通信インタフェースに、第１の映像表示端末へ映像を無線送信させるステップＳ３０２と、第１の映像表示端末と映像セッションが確立されているときに、第１の映像表示端末以外の第２の映像表示端末と映像セッションが確立された場合、無線通信インタフェースに、第１の映像表示端末宛の映像の送信先が第２の映像表示端末であることを示す送信先情報を第１の映像表示端末宛の映像と一緒に第１の映像表示端末へ無線送信させるステップＳ３０２と、をコンピュータに実行させるためのプログラムが構成される。
【００７０】
本実施形態では、映像の送信先が、映像送信端末と映像セッションを確立した映像表示端末のみとなるので、第１の実施形態と比較して、映像の無駄な無線送信を省くことができる。このため、第１の実施形態と比較して、映像送信端末から各映像表示端末への映像送信時のスループットの低下をより低減することができる。
【００７１】
（第３の実施形態）
次に、本発明の第３の実施形態を説明する。本実施形態による映像表示端末の構成は、図１に示す構成と同一である。
【００７２】
本実施形態による映像送信端末の構成は、図４に示す構成と同一である。本実施形態では、制御部２２は、無線通信部２０が、映像セッションを確立している第２の映像表示端末から映像送信要求を無線受信した場合、無線通信部２０に、送信先情報を、アクセスポイントとして動作している第１の映像表示端末宛の映像と一緒に第１の映像表示端末へ無線送信させる。
【００７３】
映像表示端末の動作は、図５に示す動作と同一である。図８は、映像送信端末の動作を示している。以下では、映像送信端末の動作について、図６に示す動作と異なる部分を説明する。
【００７４】
ステップＳ３０２で映像が無線送信された後、制御部２２は、映像表示端末（ＡＰ）を除く映像表示端末と映像セッションを確立済みであるか否かを判定する（ステップＳ３１３）。このとき、映像送信端末と映像セッションを確立済みの映像表示端末が特定される。映像表示端末（ＡＰ）を除く映像表示端末と映像セッションが確立されていない場合、ステップＳ３０２の処理が行われる。
【００７５】
映像表示端末（ＡＰ）を除く映像表示端末と映像セッションが確立されている場合、制御部２２は、無線通信部２０の状態を監視し、映像表示端末（ＡＰ）を除く、映像セッションが確立済みの映像表示端末から映像送信要求が無線受信されたか否かを判定する（ステップＳ３１４）。このとき、無線受信された映像送信要求の送信元が、ステップＳ３１３で特定された映像表示端末であるか否かの確認も行われる。映像表示端末からの映像送信要求が無線受信されていない場合、ステップＳ３０２の処理が行われる。映像表示端末から映像送信要求が無線送信された場合、無線通信部２０は映像表示端末からの映像送信要求を無線受信する。このとき、制御部２２は、映像表示端末からの映像送信要求を無線通信部２０に無線受信させる。
【００７６】
映像表示端末からの映像送信要求が無線受信された場合、制御部２２は、以降の処理で映像を無線送信する際に、映像セッションが確立した映像表示端末を示す送信先情報を追加することを示す設定情報を記憶部２１に記憶させる（ステップＳ３１５）。ステップＳ３１５における設定情報の記憶は、ネットワークの切断を発生させずに、映像送信端末からの映像送信時のスループットの低下を低減するという作用効果を得るために必須の処理ではない。
【００７７】
設定情報が記憶部２１に記憶された後、ステップＳ３０２の処理が行われる。ステップＳ３１５の処理が行われた場合、ステップＳ３０２で無線通信部２０は、記憶部２１に記憶されている映像と一緒に送信先情報を映像表示端末（ＡＰ）へ無線送信する。また、ステップＳ３０２で制御部２２は、記憶部２１に記憶されている設定情報に従って、無線通信部２０に、記憶部２１に記憶されている映像と一緒に送信先情報を映像表示端末（ＡＰ）へ無線送信させる。
【００７８】
図９は、無線ネットワークにおける映像送信端末（ＳＴＡ）２０１、映像表示端末（ＡＰ）２０２、映像表示端末（ＳＴＡ）２０３の動作を示している。各端末は、映像表示端末（ＡＰ）２０２によって構築された無線ネットワークに参加している。映像送信端末（ＳＴＡ）２０１と映像表示端末（ＡＰ）２０２との間では映像セッションが確立済みである。
【００７９】
映像表示端末（ＡＰ）２０２で映像表示指示が受け付けられる（ステップＳ１０２に対応）と、映像表示端末（ＡＰ）２０２は映像送信端末（ＳＴＡ）２０１へ映像送信要求を無線送信する（ステップＳ１０３に対応）。映像送信端末（ＳＴＡ）２０１は映像送信要求を無線受信し（ステップＳ３０１に対応）、映像表示端末（ＡＰ）２０２宛の第１の映像を映像表示端末（ＡＰ）２０２へ無線送信する（ステップＳ３０２に対応）。映像表示端末（ＡＰ）２０２は第１の映像を無線受信して表示部１１に第１の映像を表示させる（ステップＳ１０４，Ｓ１１５に対応）。
【００８０】
その後、映像送信端末（ＳＴＡ）２０１と映像表示端末（ＳＴＡ）２０３との間で映像セッションが確立される。映像セッションが確立された後、映像送信端末（ＳＴＡ）２０１は、映像表示端末（ＡＰ）２０２宛の第２の映像を映像表示端末（ＡＰ）２０２へ無線送信する（ステップＳ３０２に対応）。映像表示端末（ＡＰ）２０２は第２の映像を無線受信して表示部１１に第２の映像を表示させる（ステップＳ１０４，Ｓ１１５に対応）。
【００８１】
その後、映像表示端末（ＳＴＡ）２０３は映像送信端末（ＳＴＡ）２０１へ映像送信要求を無線送信する。映像送信端末（ＳＴＡ）２０１は映像送信要求を無線受信し（ステップＳ３１４に対応）、映像表示端末（ＡＰ）２０２宛の第３の映像と、送信先が映像表示端末（ＳＴＡ）２０３であることを示す送信先情報とを映像表示端末（ＡＰ）２０２へ無線送信する（ステップＳ３１５，Ｓ３０２に対応）。映像表示端末（ＡＰ）２０２は第３の映像と送信先情報とを受信して表示部１１に第３の映像を表示させ（ステップＳ１０４，Ｓ１１５に対応）、送信先情報に従って映像表示端末（ＳＴＡ）２０３へ第３の映像を無線送信する（ステップＳ１１７に対応）。
【００８２】
図９に示す動作では、映像表示端末２０２が映像表示指示を受け付けた後に映像送信端末（ＳＴＡ）２０１と映像表示端末（ＳＴＡ）２０３との間で映像セッションが確立されているが、映像表示端末２０２が映像表示指示を受け付ける前に映像送信端末（ＳＴＡ）２０１と映像表示端末（ＳＴＡ）２０３との間で映像セッションが確立されてもよい。
【００８３】
本実施形態では、映像の送信先が、映像送信端末と映像セッションを確立した映像表示端末のうち映像送信端末に映像送信要求を無線送信した映像表示端末のみとなるので、第２の実施形態と比較して、映像の無駄な無線送信をより省くことができる。このため、第２の実施形態と比較して、映像送信端末から各映像表示端末への映像送信時のスループットの低下をより低減することができる。
【００８４】
（第４の実施形態）
次に、本発明の第４の実施形態を説明する。本実施形態による映像表示端末の構成は、図１に示す構成と同一である。本実施形態では、無線通信部１０が、自端末が構築している無線ネットワークに参加していない端末であって映像送信端末以外の無線端末から、無線端末が映像表示端末であるか否かを示す端末情報を無線受信した場合、自端末が構築している無線ネットワークに無線端末が参加した後、制御部２２は、無線通信部１０に、無線端末が映像表示端末であることを示す端末情報を無線送信した無線端末のみへ、自端末宛の映像を無線送信させる。
【００８５】
図１０は、映像表示端末の動作を示している。以下では、映像表示端末の動作について、図２に示す動作と異なる部分を説明する。
【００８６】
ステップＳ１０４で自端末宛の映像が無線受信された場合、表示部１１は、受信された映像を表示し、無線通信部１０は、自端末が構築している無線ネットワークに参加している他の映像表示端末へ自端末宛の映像を無線送信する（ステップＳ１２１）。このとき、制御部１３は、映像送信要求に応答して映像送信端末から無線送信されて無線通信部１０によって無線受信された自端末宛の映像を表示部１１に表示させ、かつ、無線通信部１０に、自端末が構築している無線ネットワークに参加している他の映像表示端末へ自端末宛の映像を無線送信させる。後述するステップＳ１２４で記憶された映像表示端末が、ステップＳ１２１で無線送信される映像の送信先となる。映像表示端末が記憶されていない場合、ステップＳ１２１で映像は無線送信されない。
【００８７】
ステップＳ１２１は、表示部１１が、受信された映像を表示するステップと、無線通信部１０が、自端末が構築している無線ネットワークに参加している他の映像表示端末へ自端末宛の映像を無線送信するステップとに分かれていてもよい。その場合、映像の表示と映像の無線送信とは、どちらが先に行われてもよい。
【００８８】
映像が無線送信された後、制御部１３は、無線通信部１０の状態を監視し、接続要求が無線受信されたか否かを判定する（ステップＳ１２２）。接続要求が無線受信されていない場合、ステップＳ１０４の処理が行われる。自端末が構築している無線ネットワークに参加していない端末であって映像送信端末以外の無線端末から接続要求が無線送信された場合、無線通信部１０は接続要求を無線受信する。このとき、制御部１３は、自端末が構築している無線ネットワークに参加していない端末であって映像送信端末以外の無線端末から無線送信された接続要求を無線通信部１０に無線受信させる。
【００８９】
接続要求が無線受信された場合、制御部１３は、受信された接続要求が、送信元が映像表示端末であることを示す端末情報を含むか否かを判定する（ステップＳ１２３）。端末情報は、接続要求の送信元である無線端末が映像表示端末であるか否かを示す情報である。受信された接続要求が、送信元が映像表示端末であることを示す端末情報を含まない場合、ステップＳ１２５の処理が行われる。
【００９０】
受信された接続要求が、送信元が映像表示端末であることを示す端末情報を含む場合、制御部１３は、受信された接続要求の送信元を映像表示端末として記憶する（ステップＳ１２４）。このとき、例えば接続要求の送信元を示す情報として、接続要求に含まれるＭＡＣアドレスが記憶される。ステップＳ１２４における送信元の記憶は、ネットワークの切断を発生させずに、映像送信端末からの映像送信時のスループットの低下を低減するという作用効果を得るために必須の処理ではない。
【００９１】
接続要求の送信元が記憶された後、無線通信部１０は、接続要求の送信元へ接続要求応答を無線送信する（ステップＳ１２５）。このとき、制御部１３は、無線通信部１０に、接続要求の送信元へ接続要求応答を無線送信させる。
【００９２】
接続要求応答は、接続要求に対する応答を示すメッセージである。接続要求応答は、要求された接続に対するステータス（失敗の理由、または成功）を含む。成功を示すステータスを含む接続要求応答を受信した無線端末は、無線ネットワークに参加した状態となる。失敗を示すステータスを含む接続要求応答を受信した無線端末は、無線ネットワークに参加していない状態となる。
【００９３】
接続要求応答が無線送信された後、ステップＳ１０４の処理が行われる。ステップＳ１２４の処理が行われた場合、ステップＳ１２１では、映像表示端末（ＡＰ）が構築している無線ネットワークに参加している端末のうち映像表示端末（ＡＰ）へ接続要求を無線送信した映像表示端末のみへ映像表示端末（ＡＰ）から映像が無線送信される。
【００９４】
図１１は、無線ネットワークにおける映像送信端末（ＳＴＡ）２０１、映像表示端末（ＡＰ）２０２、映像表示端末（ＳＴＡ）２０３の動作を示している。映像送信端末（ＳＴＡ）２０１、映像表示端末（ＡＰ）２０２は、映像表示端末（ＡＰ）２０２によって構築された無線ネットワークに参加している。映像表示端末（ＳＴＡ）２０３は、図１１に示す動作が開始された時点では、映像表示端末（ＡＰ）２０２によって構築された無線ネットワークに参加していない。
【００９５】
映像表示端末（ＡＰ）２０２で映像表示指示が受け付けられる（ステップＳ１０２に対応）と、映像表示端末（ＡＰ）２０２は映像送信端末（ＳＴＡ）２０１へ映像送信要求を無線送信する（ステップＳ１０３に対応）。映像送信端末（ＳＴＡ）２０１は映像送信要求を無線受信し、映像表示端末（ＡＰ）２０２宛の第１の映像を映像表示端末（ＡＰ）２０２へ無線送信する。映像表示端末（ＡＰ）２０２は第１の映像を無線受信して表示部１１に第１の映像を表示させる（ステップＳ１０４，Ｓ１２１に対応）。
【００９６】
その後、映像表示端末（ＳＴＡ）２０３は、送信元が映像表示端末であることを示す端末情報を含む接続要求を映像表示端末（ＡＰ）２０２へ無線送信する。映像表示端末（ＡＰ）２０２は接続要求を無線受信し（ステップＳ１２２に対応）、接続要求の送信元を映像表示端末として記憶する（ステップＳ１２４に対応）。続いて、映像表示端末（ＡＰ）２０２は映像表示端末（ＳＴＡ）２０３へ接続要求応答を無線送信する（ステップＳ１２５に対応）。映像表示端末（ＳＴＡ）２０３は接続要求応答を無線受信し、映像表示端末（ＡＰ）２０２によって構築された無線ネットワークに参加する。
【００９７】
その後、映像送信端末（ＳＴＡ）２０１は映像表示端末（ＡＰ）２０２宛の第２の映像を映像表示端末（ＡＰ）２０２へ無線送信する。映像表示端末（ＡＰ）２０２は第２の映像を無線受信して表示部１１に第２の映像を表示させ、映像表示端末（ＳＴＡ）２０３へ第２の映像を無線送信する（ステップＳ１０４，Ｓ１２１に対応）。その後、映像送信端末（ＳＴＡ）２０１および映像表示端末（ＡＰ）２０２は、第３の映像に対して、第２の映像に対して行った処理と同様の処理を行う。
【００９８】
本実施形態では、映像の送信先が、映像表示端末へ接続要求を無線送信した映像表示端末のみとなるので、第１の実施形態と比較して、映像の無駄な無線送信を省くことができる。このため、第１の実施形態と比較して、映像送信端末から各映像表示端末への映像送信時のスループットの低下をより低減することができる。
【００９９】
（第５の実施形態）
次に、本発明の第５の実施形態を説明する。本実施形態による映像表示端末の構成は、図１に示す構成と同一である。本実施形態では、無線通信部１０が、映像送信端末から、自端末宛の映像と一緒に、映像の表示を制限することを示す制限情報を無線受信した場合、制御部１３は、無線通信部１０に、映像の視認性を低下させる画像処理（映像の加工）が行われた自端末宛の映像を他の映像表示端末へ無線送信させる。
【０１００】
本実施形態による映像送信端末の構成は、図４に示す構成と同一である。本実施形態では、制御部２２は、無線通信部２０に、アクセスポイントとして動作している第１の映像表示端末宛の映像と一緒に、映像の表示を制限することを示す制限情報を第１の映像表示端末へ無線送信させる。本実施形態における映像の表示の制限は画質の視認性の低下を示している。
【０１０１】
図１２は、映像表示端末の動作を示している。以下では、映像表示端末の動作について、図５に示す動作と異なる部分を説明する。
【０１０２】
ステップＳ１１６で映像と一緒に送信先情報が無線受信された場合、制御部１３は、映像と一緒に制限情報が無線受信されたか否かを判定する（ステップＳ１３１）。ステップＳ１０４で自端末宛の映像と一緒に制限情報が無線受信されていない場合、ステップＳ１０４の処理が行われる。映像送信要求に応答して映像送信端末から自端末宛の映像と一緒に制限情報が無線送信された場合、無線通信部１０は自端末宛の映像と一緒に制限情報を無線受信する。このとき、制御部１３は、映像送信要求に応答して映像送信端末から無線送信された自端末宛の映像と一緒に制限情報を無線通信部１０に無線受信させる。
【０１０３】
映像と一緒に制限情報が無線受信された場合、無線通信部１０は、送信先情報が示す映像表示端末へ、自端末宛の映像に対して制限情報に応じた画像処理が行われた映像を無線送信する（ステップＳ１３２）。このとき、制御部１３は、受信された自端末宛の映像に対して、制限情報に応じて、映像の視認性を低下させる画像処理を行う。さらに、制御部１３は、無線通信部１０に、送信先情報が示す映像表示端末へ、画像処理後の自端末宛の映像を無線送信させる。映像が無線送信された後、ステップＳ１０４の処理が行われる。映像と一緒に制限情報が無線送信されていない場合、ステップＳ１１７で送信先情報が示す映像表示端末へ映像が無線送信された後、ステップＳ１０４の処理が行われる。
【０１０４】
本実施形態で映像に施される画像処理は、画質を低下させる処理、または、表示の制限を示す情報を映像に付加する処理である。画質を低下させる処理は、画像の解像度を低下させる処理や映像の一部をマスクする処理等である。表示の制限を示す情報を映像に付加する処理は、映像にウォーターマークを挿入する処理等である。
【０１０５】
図１３は、映像送信端末の動作を示している。以下では、映像送信端末の動作について、図６に示す動作と異なる部分を説明する。
【０１０６】
ステップＳ３０３で映像表示端末（ＡＰ）を除く映像表示端末と映像セッションが確立されている場合、制御部２２は、以降の処理で映像を無線送信する際に、映像セッションが確立した映像表示端末を示す送信先情報を追加するとともに、送信先に応じた制限情報を追加することを示す設定情報を記憶部２１に記憶させる（ステップＳ３２４）。ステップＳ３２４における設定情報の記憶は、ネットワークの切断を発生させずに、映像送信端末からの映像送信時のスループットの低下を低減するという作用効果を得るために必須の処理ではない。
【０１０７】
設定情報が記憶部２１に記憶された後、ステップＳ３０２の処理が行われる。ステップＳ３２４の処理が行われた場合、ステップＳ３０２で無線通信部２０は、記憶部２１に記憶されている映像と一緒に、送信先情報と、送信先に応じた制限情報とを映像表示端末（ＡＰ）へ無線送信する。また、ステップＳ３０２で制御部２２は、記憶部２１に記憶されている設定情報に従って、無線通信部２０に、記憶部２１に記憶されている映像と一緒に、送信先情報と、送信先に応じた制限情報とを映像表示端末（ＡＰ）へ無線送信させる。
【０１０８】
本実施形態では、各送信先に対応した内容の制限情報が無線送信される。例えば、第１の送信先には、映像の解像度を６４０×４８０に変換することを示す制限情報が無線送信され、第２の送信先には、映像の解像度を１２０×９０に変換することを示す制限情報が無線送信される。映像送信端末は、映像セッションの確立を行う際に、映像表示端末が対応可能な解像度の情報を取得する。映像送信端末は、各映像表示端末から取得した解像度の情報を、設定可能な制限情報として記憶部２１に記憶させる。
【０１０９】
上記の説明では、映像送信端末の動作は、図６に示す動作を変更した動作となっている。映像送信端末の動作は、図８に示す動作を変更した動作であってもよい。すなわち、図８に示す動作において、ステップＳ３１５の処理をステップＳ３２４の処理で置き換えてもよい。
【０１１０】
上記の説明では、各送信先に対応した内容の制限情報が無線送信されるが、送信先によらず同一内容の制限情報が無線送信されてもよい。例えば、どの送信先に対しても、映像にウォーターマークを挿入する処理を行うことを示す制限情報が無線送信されてもよい。
【０１１１】
図１４は、無線ネットワークにおける映像送信端末（ＳＴＡ）２０１、映像表示端末（ＡＰ）２０２、映像表示端末（ＳＴＡ）２０３の動作を示している。各端末は、映像表示端末（ＡＰ）２０２によって構築された無線ネットワークに参加している。映像送信端末（ＳＴＡ）２０１と映像表示端末（ＡＰ）２０２との間では映像セッションが確立済みである。
【０１１２】
映像表示端末（ＡＰ）２０２で映像表示指示が受け付けられる（ステップＳ１０２に対応）と、映像表示端末（ＡＰ）２０２は映像送信端末（ＳＴＡ）２０１へ映像送信要求を無線送信する（ステップＳ１０３に対応）。映像送信端末（ＳＴＡ）２０１は映像送信要求を無線受信し（ステップＳ３０１に対応）、映像表示端末（ＡＰ）２０２宛の第１の映像を映像表示端末（ＡＰ）２０２へ無線送信する（ステップＳ３０２に対応）。映像表示端末（ＡＰ）２０２は第１の映像を無線受信して表示部１１に第１の映像を表示させる（ステップＳ１０４，Ｓ１１５に対応）。
【０１１３】
その後、映像送信端末（ＳＴＡ）２０１と映像表示端末（ＳＴＡ）２０３との間で映像セッションが確立される。映像セッションが確立された後、映像送信端末（ＳＴＡ）２０１は、映像表示端末（ＡＰ）２０２宛の第２の映像と、送信先が映像表示端末（ＳＴＡ）２０３であることを示す送信先情報と、制限情報とを映像表示端末（ＡＰ）２０２へ無線送信する（ステップＳ３２４，Ｓ３０２に対応）。映像表示端末（ＡＰ）２０２は第２の映像と、送信先情報と、制限情報とを受信して表示部１１に第２の映像を表示させる（ステップＳ１０４，Ｓ１１５に対応）。さらに、映像表示端末（ＡＰ）２０２は、制限情報に従って第２の映像に画像処理を行った後、送信先情報に従って映像表示端末（ＳＴＡ）２０３へ画像処理後の第２の映像を無線送信する（ステップＳ１３２に対応）。その後、映像送信端末（ＳＴＡ）２０１および映像表示端末（ＡＰ）２０２は、第３の映像に対して、第２の映像に対して行った処理と同様の処理を行う。
【０１１４】
本実施形態では、著作権等により転送が制限される映像に対して映像の視認性の低下により映像の表示の制限を実現しつつ、映像送信端末から各映像表示端末への映像送信時のスループットの低下を低減することができる。
【０１１５】
（第６の実施形態）
次に、本発明の第６の実施形態を説明する。本実施形態による映像表示端末の構成は、図１に示す構成と同一である。本実施形態では、無線通信部１０が、映像送信端末から、暗号化された自端末宛の映像と一緒に、送信先情報が示す送信先に応じた暗号情報を無線受信した場合、制御部１３は、暗号化された自端末宛の映像を復号し、復号後の自端末宛の映像を暗号情報に基づいて暗号化し、無線通信部１０に、暗号情報に基づいて暗号化された自端末宛の映像を他の映像表示端末へ無線送信させる。
【０１１６】
本実施形態による映像送信端末の構成は、図４に示す構成と同一である。本実施形態では、制御部２２は、無線通信部１０に、アクセスポイントとして動作している第１の映像表示端末宛の映像と一緒に、送信先情報が示す送信先に応じた暗号情報を第１の映像表示端末へ無線送信させる。
【０１１７】
本実施形態では、例えば映像送信端末と各映像表示端末とでペアとなる暗号鍵が用いられる。暗号鍵は、映像表示端末ごとに異なる。例えば、映像表示端末（ＡＰ）宛の映像を暗号化する暗号鍵と、映像表示端末（ＡＰ）以外の第２の映像表示端末に無線送信される映像を暗号化する暗号鍵と、映像表示端末（ＡＰ）および第２の映像表示端末以外の第３の映像表示端末に無線送信される映像を暗号化する暗号鍵とがそれぞれ異なる。これらの暗号鍵は、例えば映像送信端末の内部で予め生成される。あるいは、これらの暗号鍵は、映像送信端末と各映像表示端末とが情報を送受信する過程で生成される。暗号鍵は、各表示端末に対して同一であるグループ共通鍵であってもよい。映像送信端末の記憶部２１は、各映像表示端末に対応する暗号鍵を含む暗号情報を記憶する。
【０１１８】
復号は暗号鍵を用いて行われる。また、復号は、暗号鍵と異なる復号鍵を用いて行われてもよい。暗号鍵と異なる復号鍵を用いる場合、暗号鍵と同様に、暗号鍵に対応する復号鍵が生成される。復号鍵は、予め映像送信端末から各映像表示端末へ無線送信され、各映像表示端末によって記憶される。
【０１１９】
図１５は、映像表示端末の動作を示している。以下では、映像表示端末の動作について、図５に示す動作と異なる部分を説明する。
【０１２０】
ステップＳ１１６で映像と一緒に送信先情報が無線受信された場合、制御部１３は、映像と一緒に暗号情報が無線受信されたか否かを判定する（ステップＳ１４１）。ステップＳ１０４で自端末宛の映像と一緒に暗号情報が無線受信されていない場合、ステップＳ１０４の処理が行われる。映像送信要求に応答して映像送信端末から自端末宛の映像と一緒に暗号情報が無線送信された場合、無線通信部１０は自端末宛の映像と一緒に暗号情報を無線受信する。このとき、制御部１３は、映像送信要求に応答して映像送信端末から無線送信された自端末宛の映像と一緒に暗号情報を無線通信部１０に無線受信させる。本実施形態では、映像送信端末によって暗号化された自端末宛の映像が無線受信される。
【０１２１】
映像と一緒に暗号情報が無線受信された場合、無線通信部１０は、送信先情報が示す映像表示端末へ、復号された自端末宛の映像を暗号化情報に基づいて暗号化した映像を無線送信する（ステップＳ１４２）。このとき、制御部１３は、復号された自端末宛の映像を暗号情報に基づいて暗号化する。さらに、制御部１３は、無線通信部１０に、送信先情報が示す映像表示端末へ、暗号情報に基づいて暗号化された自端末宛の映像を無線送信させる。映像が無線送信された後、ステップＳ１０４の処理が行われる。映像と一緒に暗号情報が無線送信されていない場合、ステップＳ１１７で送信先情報が示す映像表示端末へ映像が無線送信された後、ステップＳ１０４の処理が行われる。
【０１２２】
ステップＳ１０４で映像が無線受信された後、ステップＳ１１５で映像が表示されるまでに、制御部１３は、受信された、暗号化された自端末宛の映像を復号する。つまり、制御部１３は、映像送信要求に応答して映像送信端末から無線送信されて無線通信部１０によって無線受信された、暗号化された自端末宛の映像を復号し、復号後の映像を表示部１１に表示させる。
【０１２３】
図１６は、映像送信端末の動作を示している。以下では、映像送信端末の動作について、図６に示す動作と異なる部分を説明する。
【０１２４】
ステップＳ３０３で映像表示端末（ＡＰ）を除く映像表示端末と映像セッションが確立されている場合、制御部２２は、以降の処理で映像を無線送信する際に、映像セッションが確立した映像表示端末を示す送信先情報を追加するとともに、送信先に応じた暗号情報を追加することを示す設定情報を記憶部２１に記憶させる（ステップＳ３２５）。ステップＳ３２５における設定情報の記憶は、ネットワークの切断を発生させずに、映像送信端末からの映像送信時のスループットの低下を低減するという作用効果を得るために必須の処理ではない。
【０１２５】
設定情報が記憶部２１に記憶された後、ステップＳ３０２の処理が行われる。ステップＳ３２５の処理が行われた場合、ステップＳ３０２で無線通信部２０は、記憶部２１に記憶されている映像と一緒に、送信先情報と、送信先に応じた暗号情報とを映像表示端末（ＡＰ）へ無線送信する。また、ステップＳ３０２で制御部２２は、記憶部２１に記憶されている設定情報に従って、無線通信部２０に、記憶部２１に記憶されている映像と一緒に、送信先情報と、送信先に応じた暗号情報とを映像表示端末（ＡＰ）へ無線送信させる。
【０１２６】
上記の説明では、映像送信端末の動作は、図６に示す動作を変更した動作となっている。映像送信端末の動作は、図８に示す動作を変更した動作であってもよい。すなわち、図８に示す動作において、ステップＳ３１５の処理をステップＳ３２５の処理で置き換えてもよい。
【０１２７】
図１７は、無線ネットワークにおける映像送信端末（ＳＴＡ）２０１、映像表示端末（ＡＰ）２０２、映像表示端末（ＳＴＡ）２０３の動作を示している。各端末は、映像表示端末（ＡＰ）２０２によって構築された無線ネットワークに参加している。映像送信端末（ＳＴＡ）２０１と映像表示端末（ＡＰ）２０２との間では映像セッションが確立済みである。
【０１２８】
映像表示端末（ＡＰ）２０２で映像表示指示が受け付けられる（ステップＳ１０２に対応）と、映像表示端末（ＡＰ）２０２は映像送信端末（ＳＴＡ）２０１へ映像送信要求を無線送信する（ステップＳ１０３に対応）。映像送信端末（ＳＴＡ）２０１は映像送信要求を無線受信し（ステップＳ３０１に対応）、映像表示端末（ＡＰ）２０２宛の第１の映像を映像表示端末（ＡＰ）２０２へ無線送信する（ステップＳ３０２に対応）。映像表示端末（ＡＰ）２０２は第１の映像を無線受信して表示部１１に第１の映像を表示させる（ステップＳ１０４，Ｓ１１５に対応）。
【０１２９】
その後、映像送信端末（ＳＴＡ）２０１と映像表示端末（ＳＴＡ）２０３との間で映像セッションが確立される。映像セッションが確立された後、映像送信端末（ＳＴＡ）２０１は、映像表示端末（ＡＰ）２０２宛の第２の映像と、送信先が映像表示端末（ＳＴＡ）２０３であることを示す送信先情報と、暗号情報とを映像表示端末（ＡＰ）２０２へ無線送信する（ステップＳ３２５，Ｓ３０２に対応）。映像表示端末（ＡＰ）２０２は第２の映像と、送信先情報と、暗号情報とを受信して表示部１１に第２の映像を表示させる（ステップＳ１０４，Ｓ１１５に対応）。さらに、映像表示端末（ＡＰ）２０２は、暗号情報に従って第２の映像を暗号化した後、送信先情報に従って映像表示端末（ＳＴＡ）２０３へ暗号化された第２の映像を無線送信する（ステップＳ１４２に対応）。その後、映像送信端末（ＳＴＡ）２０１および映像表示端末（ＡＰ）２０２は、第３の映像に対して、第２の映像に対して行った処理と同様の処理を行う。
【０１３０】
本実施形態では、暗号化された映像の無線送信を実現しつつ、映像送信端末から各映像表示端末への映像送信時のスループットの低下を低減することができる。
【０１３１】
（第７の実施形態）
次に、本発明の第７の実施形態を説明する。本実施形態による映像表示端末の構成は、図１に示す構成と同一である。
【０１３２】
本実施形態による映像送信端末の構成は、図４に示す構成と同一である。本実施形態では、制御部２２は、確立済みの映像セッションの数を計上し、確立済みの映像セッションの数が所定の数未満である場合、アクセスポイントとして動作する第１の映像表示端末以外の第２の映像表示端末との映像セッションの確立を許可し、確立済みの映像セッションの数が所定の数以上である場合、第２の映像表示端末との映像セッションの確立を拒否し、第１の映像表示端末との映像セッションが確立された場合、確立済みの映像セッションの数にかかわらず、第２の映像表示端末との映像セッションの確立を許可する。
【０１３３】
映像表示端末の動作は、図５に示す動作と同一である。図１８は、映像送信端末の動作を示している。以下では、映像送信端末の動作について、図６に示す動作と異なる部分を説明する。
【０１３４】
制御部２２は、確立済みの映像セッションの数を示す映像セッションの確立数を０に設定する（ステップＳ３３１）。確立済みの映像セッションの数は、映像送信端末が映像セッションを確立した相手の映像表示端末の数と等しい。映像セッションの確立数が０に設定された後、制御部２２は、映像セッションの確立が発生したか否かを判定する（ステップＳ３３２）。映像セッションを確立する処理が開始されて処理が実行中であれば、映像セッションの確立が発生したと判定される。映像セッションを確立する処理が実行中でなければ、映像セッションの確立が発生していないと判定される。
【０１３５】
映像セッションの確立が発生していない場合、ステップＳ３０１の処理が行われる。映像セッションの確立が発生した場合、制御部２２は、映像セッションを確立する相手が映像表示端末（ＡＰ）であるか否かを判定する（ステップＳ３３３）。図示していないが、映像送信端末は、映像表示端末（ＡＰ）によって構築された無線ネットワークに参加する際に、映像表示端末（ＡＰ）へ接続要求を送信し、映像表示端末（ＡＰ）から接続要求応答を受信する。これにより、映像送信端末は、どの端末がＡＰであるかを知ることができる。一方で、映像送信端末は、映像セッションの確立中に取得される情報、あるいは接続要求と接続要求応答とにより、映像セッションを確立する相手が映像表示端末であるかどうかを知ることができる。映像送信端末は、どの端末がＡＰであるかという情報と、映像セッションを確立する相手が映像表示端末であるかどうかという情報とにより、映像セッションを確立する相手が映像表示端末（ＡＰ）であるか否かを判定することができる。映像セッションを確立する相手が映像表示端末（ＡＰ）である場合、制御部２２は、映像セッションの確立数を１に設定する（ステップＳ３３４）。この場合、図示していない、映像セッションを確立する処理において、映像セッションの確立に成功する。映像セッションの確立数が１に設定された後、ステップＳ３０１の処理が行われる。
【０１３６】
映像セッションを確立する相手が映像表示端末（ＡＰ）でない場合、制御部２２は、映像表示端末（ＡＰ）と映像セッションを確立済みであるか否かを判定する（ステップＳ３３５）。映像表示端末（ＡＰ）と映像セッションを確立済みである場合、ステップＳ３３４の処理が行われる。この場合、図示していない、映像セッションを確立する処理において、映像セッションの確立に成功する。
【０１３７】
映像表示端末（ＡＰ）と映像セッションを確立済みでない場合、制御部２２は、映像セッションの確立数が所定のしきい値以上であるか否かを判定する（ステップＳ３３６）。映像セッションの確立数が所定のしきい値以上である場合、ステップＳ３０１の処理が行われる。この場合、図示していない、映像セッションを確立する処理において、映像セッションの確立に失敗する。映像セッションの確立に失敗した場合、例えば、映像セッションの確立の失敗を示す応答が相手の端末へ送信される。あるいは相手の端末へ応答が送信されない。
【０１３８】
映像セッションの確立数が所定のしきい値未満である場合、制御部２２は、映像セッションの確立数に１を加算する（ステップＳ３３７）。この場合、図示していない、映像セッションを確立する処理において、映像セッションの確立に成功する。映像セッションの確立数に１が加算された後、ステップＳ３０１の処理が行われる。
【０１３９】
ステップＳ３０１で映像表示端末（ＡＰ）からの映像送信要求が無線受信されていない場合、ステップＳ３３２の処理が行われる。ステップＳ３０１で映像表示端末（ＡＰ）からの映像送信要求が無線受信された場合、制御部２２は、以降の処理で映像を無線送信する際に、映像セッションが確立した映像表示端末を示す送信先情報を追加することを示す設定情報を記憶部２１に記憶させる（ステップＳ３３９）。ステップＳ３３９における設定情報の記憶は、ネットワークの切断を発生させずに、映像送信端末からの映像送信時のスループットの低下を低減するという作用効果を得るために必須の処理ではない。
【０１４０】
設定情報が記憶部２１に記憶された後、ステップＳ３０２で映像が無線送信される。映像が無線送信された後、ステップＳ３０３の処理が行われる。ステップＳ３０３で映像表示端末（ＡＰ）を除く映像表示端末と映像セッションが確立されている場合、ステップＳ３３９の処理が行われる。
【０１４１】
上記の処理では、映像送信端末と映像表示端末（ＡＰ）との間で映像セッションの確立が発生していない場合、映像セッションの確立数が所定のしきい値に達するまで、映像セッションの確立が許可される。映像セッションの確立数が所定のしきい値に達すると、映像送信端末と映像表示端末（ＡＰ）以外の端末との映像セッションの確立が拒否される。しかし、映像送信端末と映像表示端末（ＡＰ）との間で映像セッションの確立が発生した場合、または、映像送信端末と映像表示端末（ＡＰ）との間で映像セッションが確立済みである場合、映像セッションの確立数にかかわらず、映像セッションの確立が許可される。
【０１４２】
すなわち、制御部２２は、確立済みの映像セッションの数を計上し（ステップＳ３３７）、確立済みの映像セッションの数が所定の数未満である場合（ステップＳ３３６）、映像表示端末（ＡＰ）以外の映像表示端末との映像セッションの確立を許可する。制御部２２は、確立済みの映像セッションの数が所定の数以上である場合（ステップＳ３３６）、映像表示端末（ＡＰ）以外の映像表示端末との映像セッションの確立を拒否する。映像表示端末（ＡＰ）との映像セッションが確立された場合（ステップＳ３３５）、確立済みの映像セッションの数にかかわらず、制御部２２は、映像表示端末（ＡＰ）以外の映像表示端末との映像セッションの確立を許可する。
【０１４３】
図１９は、無線ネットワークにおける映像送信端末（ＳＴＡ）２０１、映像表示端末（ＡＰ）２０２、映像表示端末（ＳＴＡ）２０３、映像表示端末（ＳＴＡ）２０４の動作を示している。各端末は、映像表示端末（ＡＰ）２０２によって構築された無線ネットワークに参加している。この例では、映像セッションの確立数のしきい値は１である。
【０１４４】
映像送信端末（ＳＴＡ）２０１が計上する映像セッションの確立数は、最初は０である。映像送信端末（ＳＴＡ）２０１と映像表示端末（ＳＴＡ）２０３との間で映像セッションの確立が発生すると、映像セッションの確立数は１になる（ステップＳ３３７に対応）。続いて、映像送信端末（ＳＴＡ）２０１と映像表示端末（ＳＴＡ）２０４との間で映像セッションの確立が発生すると、映像セッションの確立数がしきい値（＝１）に達しているため（ステップＳ３３６に対応）、映像セッションの確立が拒否される。続いて、映像送信端末（ＳＴＡ）２０１と映像表示端末（ＡＰ）２０２との間で映像セッションの確立が発生する（ステップＳ３３２，Ｓ３３３に対応）。この場合、映像セッションの確立数は１になる（ステップＳ３３４に対応）。
【０１４５】
その後、映像表示端末（ＡＰ）２０２で映像表示指示が受け付けられる（ステップＳ１０２に対応）と、映像表示端末（ＡＰ）２０２は映像送信端末（ＳＴＡ）２０１へ映像送信要求を無線送信する（ステップＳ１０３に対応）。映像送信端末（ＳＴＡ）２０１は映像送信要求を無線受信し（ステップＳ３０１に対応）、映像表示端末（ＡＰ）２０２宛の第１の映像と、送信先が映像表示端末（ＳＴＡ）２０３であることを示す送信先情報とを映像表示端末（ＡＰ）２０２へ無線送信する（ステップＳ３３９，Ｓ３０２に対応）。映像表示端末（ＡＰ）２０２は第１の映像と送信先情報とを受信して表示部１１に第１の映像を表示させ（ステップＳ１０４，Ｓ１１５に対応）、送信先情報に従って映像表示端末（ＳＴＡ）２０３へ第１の映像を無線送信する（ステップＳ１１７に対応）。その後、映像送信端末（ＳＴＡ）２０１および映像表示端末（ＡＰ）２０２は、第２の映像に対して、第１の映像に対して行った処理と同様の処理を行う。
【０１４６】
その後、映像送信端末（ＳＴＡ）２０１と映像表示端末（ＳＴＡ）２０４との間で映像セッションの確立が発生する。既に映像送信端末（ＳＴＡ）２０１と映像表示端末（ＡＰ）２０２との間で映像セッションが確立されているので、映像セッションの確立数は１のままであり（ステップＳ３３４に対応）、映像セッションの確立が許可される。映像セッションが確立された後、映像送信端末（ＳＴＡ）２０１は、映像表示端末（ＡＰ）２０２宛の第３の映像と、送信先が映像表示端末（ＳＴＡ）２０３，２０４であることを示す送信先情報とを映像表示端末（ＡＰ）２０２へ無線送信する（ステップＳ３３９，Ｓ３０２に対応）。映像表示端末（ＡＰ）２０２は第３の映像と送信先情報とを受信して表示部１１に第３の映像を表示させ（ステップＳ１０４，Ｓ１１５に対応）、送信先情報に従って映像表示端末（ＳＴＡ）２０３，２０４へ第３の映像を無線送信する（ステップＳ１１７に対応）。
【０１４７】
本実施形態では、映像送信端末（ＳＴＡ）の使用メモリ量等の制限により、映像送信端末（ＳＴＡ）が確立可能な映像セッションの数に上限数が存在する場合であっても、その上限数を超えた数の映像表示端末（映像表示端末（ＡＰ）および映像送信端末（ＳＴＡ））に対して映像の送信を行うことができる。また、このような映像の送信を行いつつ、映像送信端末から各映像表示端末への映像送信時のスループットの低下を低減することができる。
【０１４８】
以上、図面を参照して本発明の実施形態について詳述してきたが、具体的な構成は上記の実施形態に限られるものではなく、本発明の要旨を逸脱しない範囲の設計変更等も含まれる。
【符号の説明】
【０１４９】
１０  無線通信部、１１  表示部、１２  操作部、１３  制御部、２０  無線通信部、２１  記憶部、２２  制御部
【図１】
2015095814.tif 000003
【図２】
2015095814.tif 000004
【図３】
2015095814.tif 000005
【図４】
2015095814.tif 000006
【図５】
2015095814.tif 000007
【図６】
2015095814.tif 000008
【図７】
2015095814.tif 000009
【図８】
2015095814.tif 000010
【図９】
2015095814.tif 000011
【図１０】
2015095814.tif 000012
【図１１】
2015095814.tif 000013
【図１２】
2015095814.tif 000014
【図１３】
2015095814.tif 000015
【図１４】
2015095814.tif 000016
【図１５】
2015095814.tif 000017
【図１６】
2015095814.tif 000018
【図１７】
2015095814.tif 000019
【図１８】
2015095814.tif 000020
【図１９】
2015095814.tif 000021
【図２０】
2015095814.tif 000022
【図２１】
2015095814.tif 000023
【図２２】
2015095814.tif 000024
【図２３】
2015095814.tif 000025